(57)【要約】【課題】  ひざや腰に故障を持つ男女にも苦痛なく性交渉の姿勢を維持でき、かつ、目的に憚られることなく、一般家庭に広く普及し得る多目的エクササイズ用具を提供する。【解決手段】  女性に人気のあるバランスボール（エクササイズボール）を用いた運動の中で最も楽なものは『座って弾む』運動であるが、これは見方を変えると、ボールに補助されたスクワット運動であり、さらに見方を変えると、女性が主体となって性交渉を行う際の姿勢に他ならない。このことに着目し、エクササイズボールの内部に、男性が位置できるような形態を考え、解決手段とした。【選択図】図１
2020080881.tif 000002
【特許請求の範囲】
【請求項１】
球体状、楕円状、丸みを帯びた立方体等の形状の外殻面をもつ立体を水平面上に置き、手前側である前方から奥行き側である後方に伸びる中心線を境に左手側を左、右手側を右とするとき、前記立体に対し以下の内部形状を備えさせたことを特徴とする多目的エクササイズ立体。
（イ）人の胴体の腰部付近を覆うことのできる大きさの筒状で両端に開口部をもつ腰部支持面をもつこと
（ロ）人の脚部を覆うことのできる大きさの筒状で両端に開口部をもつ左右２つの脚部支持面を持つこと
（ハ）前記腰部支持面を成す筒状の一方の開口部を手前側に向けて置くとき、もう一方の奥行き側の開口部に対し前記２つの脚部支持面を成す筒状の開口部２つの計３つの開口部同士を接合し、全体でＹ字管の形状の支持面を形成していること
（ニ）前記Ｙ字管の形状の支持面の３叉の接合部分は、前記立体の外殻面によって内包される位置に置かれていること
（ホ）前記腰部支持面と前記２つの脚部支持面の接合されない側の合計３つの開口部の位置を、それぞれ前記立体の外殻面の位置と一致させ、前記合計３つの開口部のそれぞれが内包する前記外殻面の部位を取り去り、前記合計３つの開口部は前記外殻面に滑らかに接合されること
（へ）前記Ｙ字管の形状の支持面の内部は外気と接する空洞となり、前記空洞は前記立体の外部から目視できること
（ト）前記立体の上面から、前記Ｙ字管の形状の支持面の三叉の位置に向けて、任意の大きさの貫通した垂直孔を設けること
（チ）前記Ｙ字管の形状の支持面と前記垂直孔は内面の滑らかに接続された四叉の管状の空洞を成し、前記四叉の管状の内部空洞は外気と接する空間であること
【請求項２】
前記立体内に設けられた前記腰部支持面の筒状の開口部が手前側となるように前記立体を水平面に置いたとき、前記立体に対し次のいずれかの変更を加えたことを特徴とする、請求項１に記載の多目的エクササイズ立体。
（イ）前記腰部支持面の上方で、かつ垂直孔の手前側の部分を、前記垂直孔の直径程度の長さの幅で切断し、切断した小片を取り除いたもの
（ロ）前記腰部支持面の上下方向の中心の高さより上方で、かつ垂直孔の手前側にある部分を切断し、切断した小片を取り除いたもの
（ハ）（ロ）に加え、前記脚部支持面の左右外側の面とそれに近接する前記外殻面とに挟まれた部分を切断し、切断した小片を取り除いたもの
【請求項３】
前記立体を、前記外殻面、前記Ｙ字管の形状の支持面および前記垂直孔の表面がシート状の弾性素材からなるインフレータブル立体とし、前記立体内の内気圧により前記Ｙ字管の形状の支持面が外気側に膨張しないよう、少なくとも次のいずれかの対策が成されたことを特徴とする請求項１または請求項２に記載の多目的エクササイズ立体。
（イ）前記Ｙ字管の形状の支持面の内気側の面と前記外殻面の内気側の面にかけて複数の張力部材を設けること
（ロ）前記Ｙ字管の形状の支持面を構成する曲面に沿って、弾性と剛性を備えた線材からなるスパイラル状もしくはＯ字状の補強材を設けること
（ハ）前記Ｙ字管の形状の支持面を構成する曲面に沿って、弾性と剛性を備えた素材からなるアーチ状の補強材を設けること
（ニ）前記Ｙ字状の形状の支持面の一部あるいは全体が、充分な厚みと強度のある発泡ポリウレタン等の弾性素材により形成されること
【請求項４】
前記立体を水平面で輪切りにした切り口の大きさの隔壁をもち、前記隔壁により隔てられた上部の空気室と下部の空気室のそれぞれの空気圧の調節が可能となるように、各空気室の外殻面にそれぞれ少なくとも１つずつの空気バルブを備え、特に下部の空間の空気圧を下げることにより前記立体全体の高さ調節を可能とするための、次のいずれかの要件を備えることを特徴とする、請求項３に記載の多目的エクササイズ立体。
（イ）前記隔壁がシート状の弾性素材からなるとき、前記隔壁の下部の空間の気圧が下がることにより前記隔壁が下方に膨張するのを抑止するため、前記隔壁の上面の数箇所から上方に向かう延長線上にあって下方への張力に耐えられる任意の部材に対し張力部材を設けること
（ロ）前記隔壁は、前記隔壁の上部にある空間の圧力により大きく変形しない充分な剛性をもつ素材からなること
（ハ）前記隔壁の外殻面に接する位置から、上方から見て前記隔壁の中央部を通ってもう一端の外殻面に接する位置までを、側面側から見て前記隔壁の形状に沿ったアーチ状となるような、剛性を持つ素材からなる補強材が設けられていること
【請求項５】
前記立体の全体または一部が、発泡ウレタン等の弾性素材により成型される実施例１、実施例２、実施例３または実施例４に記載の多目的エクササイズ立体。
【発明の詳細な説明】
【技術分野】
【０００１】
本発明は、性交渉を含めた多目的に使用できるエクササイズ立体の構造に関するものである。
【背景技術】
【０００２】
人間の性交渉の姿勢を補助しようとする発明はこれまでにもあったが、性に関するあからさまな製品を世に出すことが敬遠されたか、あるいは装置自体が大掛かり過ぎた、などの要因から、一般に普及するに足るものはなかった。特許文献４の実施例と特許文献８の実施例２は非常に良く似た構造の椅子であるが、特許文献４の発明者は女性であり、このような製品が男性、女性を問わず必要とされていることが窺い知ることができる。
【先行技術文献】
【特許文献】
【０００３】
【特許文献１】US2008/0001463A1  MULTI-FUNCTIONAL COLLAPSIBLE CHAIR
【特許文献２】US2004/0065331 A1  PLATFORM CHAIR FOR SEXUAL INTERCOURSE
【特許文献３】US005875779A  ARCUATELY RECIPLOCATING HUMAN SEXUAL FITTNESS MACHINE
【特許文献４】US4884842(1989)  BODY SUPPORTING CHAIR
【特許文献５】米抄5453080  「性交補助の治療器具」
【特許文献６】特開平10‐242836  「揺動椅子装置」
【特許文献７】特開2004‐97764  「バネを支柱にした女性の臀部を載せる台」
【特許文献８】特開2017-196357 「多目的椅子」
【非特許文献】
【０００４】
【非特許文献１】https://ja.wikipedia.org/wiki/性行為
【発明の概要】
【発明が解決しようとする課題】
【０００５】
人間が直立歩行に適した身体に進化した際、人間の脚部は他の動物と比較して例外的ともいえる長さとなった。その結果人間は、腰やひざ関節などの故障を起こしやすくなったとともに、生命の基本である性行動については不便な姿勢を強いられることになった。特にひざ関節等に故障をもつ人にとって大きな問題で、例え一方のひざだけの故障であったとしても、一般的と考えられる姿勢を維持することは難しくなる。このことは当事者となった本人にしか分からないため、パートナーがその点に気付かず、心理的な隔たりが生じる原因にもなり得る。このような姿勢を補助しようという器具はこれまでにも発明されたが、大掛かりであったり、子どもや来客に説明のつかない形状であるなど、家庭に置くには不都合のあるものであった。
【０００６】
本発明の目的は、性交渉の際の姿勢を苦痛なく維持できる機能を、簡単で安価な形で提供するとともに、本来のエクササイズ器具としてや、あるいは乳児・幼児向けの椅子や遊び道具としても使用可能で、一般家庭に広く普及することによりオープンな明るい話題として提供しようとするものである。
【課題を解決するための手段】
【０００７】
女性に人気のあるバランスボール（エクササイズボール）を用いた運動の中で最も楽なものは『座って弾む』運動であるが、これは見方を変えると、ボールに補助されたスクワット運動であり、さらに見方を変えると、女性が主体となって性交渉を行う際の姿勢に他ならない。このことに着目し、エクササイズボールの内部に、男性が位置できるような形態として、次のような立体を考えた。
【図面の簡単な説明】
【０００８】
【図１】実施例１の概観を示す背面（後面）の斜視図
【図２】実施例１の概観を示す正面（前面）の斜視図
【図３】実施例２の概観を示す背面斜視図
【図４】実施例２の概観を示す正面斜視図
【図５】（ａ）は実施例１の、（ｂ）（ｃ）は実施例２の使用例を示す側面図
【図６】実施例１の（ａ）第３空気室、（ｂ）第２および第３空気室の空気を抜いたときの概観を示す背面図
【図７】実施例１の内部構造を示す側面からの断面図
【図８】実施例１の胴体部付近の内部構造を示す上面からの断面図
【図９】実施例１の外殻面と隔壁の溶着部のようすを示す側面からの断面図
【図１０】（ａ‐１）（ａ‐２）は実施例３、（ｂ‐１）（ｂ‐２）は実施例４、（ｃ‐１）（ｃ‐２）は実施例５のそれぞれ概観を示す背面斜視図および、正面斜視図
【図１１】（ａ）は実施例３、（ｂ）は実施例４、（ｃ）は実施例５の使用例を示す側面図
【発明を実施するための形態】
【０００９】
本発明の実施形態について、図を参照しながら説明する。なお、図面に関してはすべて、厚さ０．５ｍｍ〜１ｍｍ程度のＰＶＣ（ポリ塩化ビニル）フィルム（シート）をつなぎ合わせたものに空気を入れるインフレータブル形式を想定しているが、シートの厚さを限定せず、また金型を回転させながら遠心力で皮膜を形成して行く方法や、立体の一部または全体を発泡ポリウレタン等で形成することも可能である。
なお、図面および説明の中で、空気バルブのある側を背面（後面）とし、各実施例における左右の位置と実際の人間の脚部の左右の位置とを一致させている。
【実施例】
【００１０】
（実施例１）
図１は実施例１の立体であるインフレータブルボールの背面側を斜め上から見下ろしたもの、図２は同様に正面側を斜め上から見下ろしたものである。ボール状の外殻面は一般のバランスボール（エクササイズボール）と同様にシート状の素材を再加工するか、金型を回転させながら射出成型するなどの方法で形成される。また、全体を発泡ウレタンなどの軽く柔軟で弾性のある素材で射出成型することも考えられる。内部構造に関しては後述する。
【００１１】
（実施例２）
実施例１は垂直孔付近の形状が上から見てＯ字型の立体（図１、図２の立体１）であるのに対し、実施例２（図３、図４の立体１ｂ）では、垂直孔１７と腰部支持面１５を結ぶ箇所を空間的に繋げてＵ字型にしたものである。この変更により、内部の空洞部分に男性の腰部を入れる際の窮屈さが軽減されるとともに、図５（ｂ）のように、男性側が上体を起こすことが可能になる。
図５に、実施例１および実施例２の使用例を示す。立体１および立体１ｂは３つの支持面（腰部１５、脚部１６Ｌ、１６Ｒ）と垂直孔１７により、本体はボールとしての機能を保ったまま、男性Ｍの腰部を生殖機能を保った状態で納められるようになっている。図５（ｃ）に示すように、ボール１の上部に座る女性Ｆの体重の一部は男性Ｍにも負担されるが、その多くは垂直孔１７の周辺の空気圧によって支えられる。
【００１２】
実施例１と実施例２は大型のエクササイズボールを想定しており、男性の腰部が入るほどの空洞があるため、幼児が中に入って座ったり遊んだりする可能性も生じる。用途の一つとして織り込むことは可能であるが、球形のままでは重心が高く危険であるため、図６で示すように、下段の空気室の空気を段階的に抜き去ることを可能とし、重心を下げられるようにした。
【００１３】
図７、図８、図９は内部の様子を示している。一般にインフレータブルボールの内部に、外気と接する筒状の穴を設けた際、スポーク等の張力を用いて、筒状部分が内圧によって外気側に膨張するのを防ぐことが必要であり、本実施例もそれを踏襲している。
シート状の素材を用いる場合、型紙等に沿って外殻面や内部の支持面を形作る１１〜１８のパーツとして切り取り、張力部材固定片４２、４５および張力部材固定ループ４３、張力部材固定リング４４を取り付け、張力部材４１を取り付けた後、各パーツの周囲を溶着していく。
【００１４】
図７、図８に見るように、張力部材４１と張力部材固定片４２は一体成型で予め制作しておき、張力の必要な腰部支持面１５、脚部支持面１６Ｌ、１６Ｒ、垂直孔１７の内気側の要所に溶着しておく。一体化された張力部材４１、４２の溶着が難しい場合、張力部材固定片４２に対し、張力部材固定ループ４３を一体化した形で制作して用いる。この場合は張力部材４１の一端にも張力部材固定ループ４３を設けておき、各部材を溶着した後、ループ４３同士を絡めて、ループ圧着リング４４で圧着固定する。場合により外殻面１１の一箇所に張力部材固定片４２が密集することがあり、外殻面が張力部材からの張力に耐えられない恐れがあるため、外殻補強用大型パッチ４２のように、補強材が必要である。
【００１５】
図９では、３つの空気室を接続する方法を示す。主空気室２１を主としたボール本体１の外気側の外殻面１１と腰部支持面１５、脚部支持面１６Ｌ・１６Ｒ、垂直孔１７および接続部皮膜１８の継ぎ目部分は、人体と接触するため内気側に向ける必要があるが、下部の第２空気室２２、第３空気室２３付近に関しては、人体と接触しない箇所であるため、外側から溶着することができる。主外殻面１１の接合フランジ１１ｆと第２外殻面１２の上側の接合フランジ１２ｆで第１隔壁３１の接合フランジ３１ｆを挟み込みながら溶着する。同様に、第２外殻面１２の下側の接合フランジ１２ｇと第３外殻面１３の接合フランジ１３ｆと第２隔壁３２の接合フランジ３２ｆを挟み込みながら溶着する。
【００１６】
（実施例３）
図１０（ａ‐１）（ａ‐２）および図１１（ａ）に実施例３を示す。半径２００ｍｍ程度の球形を想定しており、腰部支持面１５、脚部支持面１６Ｌ・１６Ｒおよび、垂直孔１７が設けられている。男性Ｍが腰部を納めることができる最小限の大きさと考えられる。
（実施例４）
図１０（ｂ‐１）（ｂ‐２）および図１１（ｂ）に実施例４を示す。実施例３と同様に半径２００ｍｍ程度の球形を想定しており、上部のＯ字型の開口部をＵ字型に変更したものである。
（実施例５）
図１０（ｃ‐１）（ｃ‐２）および図１１（ｃ）に実施例５を示す。実施例３、４と同様の半径２００ｍｍ程度の球形を２つ繋いだ形をしており、脚部支持面１６Ｌ・１６Ｒと垂直孔１７に挟まれた部分を女性Ｆが腰を降ろす部分として残す以外、必要のない部分を取り除き、同時に腰部支持面１５の上面側を取り除いたものである。
【符号の説明】
【００１７】
１           実施例１の立体
１１        主外殻面
１１ｆ      接合フランジ
１２        第２外殻面
１２ｆ      接合フランジ
１２ｇ      接合フランジ
１３        第３外殻面
１３ｆ      接合フランジ
１５       腰部支持面（下面は着座面）
１６Ｌ，１６Ｒ  脚部支持面（左、右）
１７       垂直孔
１８      接続部皮膜
１ｂ      実施例２の立体
１ｃ      実施例３の立体
１ｄ      実施例４の立体
１ｅ      実施例５の立体
２１      主空気室
２２      第２空気室
２３      第３空気室
３１      第１隔壁
３１ｆ      接合フランジ
３２      第２隔壁
３２ｆ      接合フランジ
４１      張力部材
４２      張力部材固定片
４３      張力部材固定ループ
４４      ループ圧着リング
４５      外殻補強用大型パッチ
５１      主空気バルブ
５２      第２空気バルブ
５３      第３空気バルブ
Ｆ      女性
Ｍ      男性
Ｘ      図８および図９の切断面を示す位置（水平線）
Ｙ      図７の切断面を示す位置（垂直線）
【図１】
2020080881.tif 000003
【図２】
2020080881.tif 000004
【図３】
2020080881.tif 000005
【図４】
2020080881.tif 000006
【図５】
2020080881.tif 000007
【図６】
2020080881.tif 000008
【図７】
2020080881.tif 000009
【図８】
2020080881.tif 000010
【図９】
2020080881.tif 000011
【図１０】
2020080881.tif 000012
【図１１】
2020080881.tif 000013